(57)【特許請求の範囲】
【請求項１】
ゴルフキャディバッグのクラブ収納室の内周縁における高さ方向所定中間位置に少なくとも一の拘束ワイヤが配設されるとともに、該拘束ワイヤの両端がバッグ本体の外部所定箇所に設けられた操作レバーに接続されて成り、該操作レバーの操作に連動して該拘束ワイヤの緊緩操作が行われることで、クラブ収納室内に収納されたゴルフクラブのシャフト部あるいはグリップ部が拘束可能であるゴルフキャディバッグにおいて、
前記操作レバーがバッグ本体と把持部とで囲まれた空間部に設けられることで、該把持部を把持した状態で該操作レバーの操作が可能であることを特徴とするゴルフキャディバッグ。
【請求項２】
ゴルフキャディバッグのクラブ収納室の内周縁における高さ方向所定中間位置に少なくとも一の拘束ワイヤが配設されるとともに、該拘束ワイヤの両端がバッグ本体の外部所定箇所に設けられた操作レバーに接続されて成り、該操作レバーの操作に連動して該拘束ワイヤの緊緩操作が行われることで、クラブ収納室内に収納されたゴルフクラブのシャフト部あるいはグリップ部が拘束可能であるゴルフキャディバッグにおいて、
前記拘束ワイヤの両端が把持部のいずれか一方若しくは両方の付け根に接続されることで、該把持部が操作レバーを兼備し、該把持部を把持することでバッグ本体の自重により操作レバーの操作が行われることを特徴とするゴルフキャディバッグ。
【請求項３】
ゴルフキャディバッグのクラブ収納室の内周縁における高さ方向所定中間位置に少なくとも一の拘束ワイヤが配設されるとともに、該拘束ワイヤの両端がバッグ本体の外部所定箇所に設けられた操作レバーに接続されて成り、該操作レバーの操作に連動して該拘束ワイヤの緊緩操作が行われることで、クラブ収納室内に収納されたゴルフクラブのシャフト部あるいはグリップ部が拘束可能であるゴルフキャディバッグにおいて、
前記拘束ワイヤの両端がショルダーバンドのいずれか一方若しくは両方の付け根に接続されることで、該ショルダーバンドが操作レバーを兼備し、該ショルダーバンドを肩掛けすることでバッグ本体の自重により操作レバーの操作が行われることを特徴とするゴルフキャディバッグ。
【請求項４】
前記拘束ワイヤの操作状態を保持するためのロック機構が備えられていることを特徴とする請求項１から請求項３のいずれかに記載のゴルフキャディバッグ。
【発明の詳細な説明】
【技術分野】
【０００１】
本発明は、ゴルフキャディバッグに関し、詳しくは、クラブ収納室内に収納されたゴルフクラブを拘束することが可能なゴルフキャディバッグに関するものである。
【背景技術】
【０００２】
ゴルフクラブの収納には、ゴルフキャディバッグが使用される。該ゴルフキャディバッグは、ゴルフクラブのグリップ及びシャフト部を収納可能なクラブ収納室を内部に備えるバッグ本体の外部に、把持部及びショルダーバンドが備えられて成るものが一般的である。該クラブ収納室には、ドライバーやウッド、アイアンといった複数のゴルフクラブが、非拘束状態で収納されることとなる。
【０００３】
ところで、かかる従来の一般的なゴルフキャディバッグによると、把持部を手で把持したり、あるいは、ショルダーバンドを肩に掛けることで、移動・運搬を行うこととなる。この移動・運搬時において、クラブ収納室内に収納されたゴルフクラブは非拘束状態であるため、該ゴルフクラブ同士が接触を起こすこととなり、その接触音が騒がしいものであるとともに、ゴルフクラブに傷が発生する危険もあった。さらに、ゴルフクラブのクラブヘッドは重いため、移動・運搬時にバランスを崩して、ゴルフクラブが抜け落ちてしまう危険もあった。
【０００４】
【特許文献１】特開２００６−２２３７９３号公報
【特許文献２】特開２００４−３３３６３号公報
【特許文献３】特開２０００−３２５５１７号公報
【特許文献４】特開平１１−２３５４０７号公報
【特許文献５】特開平６−３１５５５１号公報
【特許文献６】実開平７−２４３５８号公報
【発明の概要】
【発明が解決しようとする課題】
【０００５】
本発明は、上記問題点に鑑み、クラブ収納室内に収納されたゴルフクラブを拘束してゴルフクラブ同士の接触を抑制することで、ゴルフクラブのガタツキを防止するとともに傷発生を防止し、さらには、ゴルフクラブの抜け落ち防止を可能とするゴルフキャディバッグを提供することを目的とするものである。
【課題を解決するための手段】
【０００６】
上記目的を達成するため、本発明は、ゴルフキャディバッグにおいて、クラブ収納室の内周縁における高さ方向所定中間位置に少なくとも一の拘束ワイヤが配設されるとともに、該拘束ワイヤの両端がバッグ本体の外部所定箇所に設けられた操作レバーに接続されて成り、該操作レバーの操作に連動して該拘束ワイヤの緊緩操作が行われることで、クラブ収納室内に収納されたゴルフクラブのシャフト部あるいはグリップ部が拘束可能な構成となっている。
【０００７】
また、本発明は、前記操作レバーについて、バッグ本体と把持部とで囲まれた空間部に設けることで、該把持部を把持した状態で該操作レバーの操作が可能な構成となっている。
【０００８】
さらに、本発明は、前記拘束ワイヤの両端が把持部のいずれか一方若しくは両方の付け根に接続されることで、該把持部が操作レバーを兼備し、該把持部を把持することでバッグ本体の自重により操作レバーの操作が行われる構成を取り得る。
【０００９】
またさらに、本発明は、前記拘束ワイヤの両端がショルダーバンドのいずれか一方若しくは両方の付け根に接続されることで、該ショルダーバンドが操作レバーを兼備し、該ショルダーバンドを肩掛けすることでバッグ本体の自重により操作レバーの操作が行われる構成を取り得る。
【００１０】
そしてまた、本発明は、前記拘束ワイヤの操作状態を保持するためのロック機構が備えられている構成を取り得る。
【発明の効果】
【００１１】
本発明にかかるゴルフキャディバッグによれば、クラブ収納室内に収納されたゴルフクラブを簡易に拘束することが可能となるため、ゴルフクラブ同士の接触が抑制され、ゴルフクラブのガタツキを防止するとともに傷の発生を防止し、さらには、移動・運搬時におけるゴルフクラブの抜け落ちを防止することができるとともに、盗難防止にも資するといった、優れた効果を発揮するものである。
【図面の簡単な説明】
【００１２】
【図１】本発明にかかるゴルフキャディバッグの実施形態を示す説明図である。（実施例１）
【図２】本発明にかかるゴルフキャディバッグの実施形態を示す説明図である。（実施例２）
【図３】本発明にかかるゴルフキャディバッグの実施形態を示す説明図である。（実施例３）
【発明を実施するための形態】
【００１３】
本発明は、ゴルフキャディバッグ１において、クラブ収納室３の内周縁における高さ方向所定中間位置に拘束ワイヤ６が配設されるとともに、該拘束ワイヤ６の両端がバッグ本体２の外部所定箇所に設けられた操作レバー７に接続されて成り、該操作レバー７の操作に連動して該拘束ワイヤ６の緊緩操作が行われることで、クラブ収納室３内に収納されたゴルフクラブＣのシャフト部あるいはグリップ部が拘束可能であることを最大の特徴とする。以下、本発明にかかるゴルフキャディバッグ１の実施形態を、図面に基づき詳細に説明する。
【００１４】
なお、本発明は、下記構成態様の実施形態に特に限定されるものではなく、本発明の技術的思想の要旨に逸脱しない範囲で、構成態様を任意に変更することができるものである。
【実施例１】
【００１５】
図１は、本発明にかかるゴルフキャディバッグ１の一の実施形態を示しており、図１は全体を示す説明図である。
本発明にかかるゴルフキャディバッグ１は、図面に示すように、クラブ収納室３の内周縁に拘束ワイヤ６が配設されるとともに、該拘束ワイヤ６が操作レバー７に接続されて成る。
【００１６】
拘束ワイヤ６は、ゴルフキャディバッグ１におけるクラブ収納室３内において、その内周縁における高さ方向所定中間位置に配設されており、後述する操作レバー７を操作することで、クラブ収納室３内に収納されたゴルフクラブＣのシャフト部あるいはグリップ部が拘束可能となっている。すなわち、拘束ワイヤ６の両端は、該操作レバー７に接続されている。
【００１７】
クラブ収納室３内において、拘束ワイヤ６を配設する位置については特に限定はなく、ゴルフクラブＣにおけるシャフト部あるいはグリップ部のどの位置を拘束するのが最良か等を考慮して、適宜決定される。
また、該拘束ワイヤ６の数について、図面では一の拘束ワイヤ６を配設した場合について示しているが、かかる態様に限らず、該拘束ワイヤ６を二乃至複数配設する態様も可能である。
【００１８】
該拘束ワイヤ６の材質については、一般的な金属製や樹脂製など限定するものではないが、ゴルフクラブＣのシャフト部あるいはグリップ部を拘束する関係上、該シャフト部・グリップ部を傷つけることのないゴムなどの樹脂材質によって成ることが好ましい。あるいは、金属製ワイヤの表層部に、保護カバーを被覆する態様も考え得る。
【００１９】
操作レバー７は、前記拘束ワイヤ６の緊緩操作を行うものであって、ゴルフキャディバッグ１におけるバッグ本体２と把持部４とで囲まれた空間部に設けられている。
【００２０】
操作レバー７について、上記態様を採用することにより、把持部４を把持した際に、その把持した手で同時に操作レバー７を握ったり緩めたりすることが可能であって、ゴルフキャディバッグ１の移動・運搬に際して、拘束ワイヤ６によるゴルフクラブＣの拘束状態・非拘束状態を容易に操作することが可能となる。
【００２１】
本実施例にかかるゴルフキャディバッグ１は、前記操作レバー７に前記拘束ワイヤ６の両端が接続されることで、該操作レバー７を操作することで、それに連動して該拘束ワイヤ６の緊緩操作が行われることとなる。具体的には、操作レバー７を引き操作することで拘束ワイヤ６は拘束状態となり、逆に操作レバー７を戻すことで拘束ワイヤ６は非拘束状態となる。かかる操作レバー７の操作状態に連動して、クラブ収納室３内に収納されたゴルフクラブＣのシャフト部が拘束され、あるいは、非拘束状態となる。
【００２２】
なお、前記拘束ワイヤ６について、拘束状態・非拘束状態といった操作状態を保持すべく、図示されてはいないが、本発明に該拘束ワイヤ６のロック機構を備えた構成が考え得る。すなわち、該ロック機構は、拘束ワイヤ６の動きを係止するためのものであって、構造上限定は特にない。
【００２３】
かかるロック機構を採用することにより、常に操作レバー７を操作し続ける必要がなく、所定操作を行った状態にて拘束ワイヤ６を係止することでロックされ、当該所定操作状態（拘束状態・非拘束状態）を継続させることが可能となる。
また、休憩時などゴルフキャディバッグ１が放置されているような場合に、該ロック機構により拘束状態にて拘束ワイヤ６の動きを係止することで、ゴルフクラブＣをクラブ収納室３から引き抜くことができなくなるため、該ゴルフクラブＣの盗難防止にも資することとなる。
【実施例２】
【００２４】
図２は、本発明にかかるゴルフキャディバッグ１の他の実施形態を示す説明図である。
本実施例にかかるゴルフキャディバッグ１は、図面に示すように、クラブ収納室３内に拘束ワイヤ６が配設されるとともに、該拘束ワイヤ６が把持部４に接続されることで、該把持部４が操作レバー７を兼備する構成となっている。
【００２５】
すなわち、本実施例においては、前記拘束ワイヤ６の両端が把持部４のいずれか一方若しくは両方の付け根に接続されている。なお、図面では、把持部４の一方に拘束ワイヤ６の両端が接続されている構成について示している。
【００２６】
かかる構成を採用することにより、把持部４が操作レバー７を兼備することとなり、すなわち把持部４を把持した際に、バッグ本体２の自重により、拘束ワイヤ６が拘束状態となるよう、操作レバー７の操作が行われることとなる。
【実施例３】
【００２７】
図３は、本発明にかかるゴルフキャディバッグ１の他の実施形態を示す説明図である。
本実施例にかかるゴルフキャディバッグ１は、図面に示すように、クラブ収納室３内に拘束ワイヤ６が配設されるとともに、該拘束ワイヤ６がショルダーバンド５に接続されることで、該ショルダーバンド５が操作レバー７を兼備する構成となっている。
【００２８】
すなわち、本実施例においては、前記拘束ワイヤ６の両端がショルダーバンド５のいずれか一方若しくは両方の付け根に接続されている。なお、図面では、ショルダーバンド５の一方に拘束ワイヤ６の両端が接続されている構成について示している。
【００２９】
かかる構成を採用することにより、ショルダーバンド５が操作レバー７を兼備することとなり、すなわちショルダーバンド５を肩掛けした際に、バッグ本体２の自重により、拘束ワイヤ６が拘束状態となるよう、操作レバー７の操作が行われることとなる。
【産業上の利用可能性】
【００３０】
本発明のゴルフキャディバッグ１は、ゴルフクラブＣを簡易に拘束することが可能となるため、ゴルフクラブＣ同士の接触が抑制され、ゴルフクラブＣのガタツキを防止するとともに傷の発生を防止し、さらには、移動・運搬時におけるゴルフクラブＣの抜け落ちを防止するとともに、該ゴルフクラブＣの盗難を防止することが可能であって、本発明の産業上の利用可能性は極めて高いものと解する。
【符号の説明】
【００３１】
１    ゴルフキャディバッグ
２    バッグ本体
３    クラブ収納室
４    把持部
５    ショルダーバンド
６    拘束ワイヤ
７    操作レバー
Ｃ    ゴルフクラブ
【図１】
0005420627.tif 000002
【図２】
0005420627.tif 000003
【図３】
0005420627.tif 000004